(57)【要約】【課題】電気回路と各々の電装部品とを電気的に接続する配線を短縮する。【解決手段】下方に配される圧縮機２０と、圧縮機２０に接続される冷却器２５と、冷却器２５の周辺に設けられる送風機２６と、電気回路５８を収納するとともに複数の開口部を設けた回路収納部５８ａと、圧縮機２０及び送風機２６を電気回路５８に電気接続する配線８５、８６とを備え、配線８５、８６が複数の開口部から分かれて回路収納部５８ａ内に引き込まれる。【選択図】図６
2006064379.tif 000002
【特許請求の範囲】
【請求項１】
下方に配される圧縮機と、前記圧縮機に接続される冷却器と、前記冷却器の周辺に設けられる送風機と、電気回路を収納するとともに複数の開口部を設けた回路収納部と、前記圧縮機及び前記送風機を前記電気回路に電気接続する配線とを備え、前記配線が複数の前記開口部から分かれて前記回路収納部内に引き込まれることを特徴とする冷蔵庫。
【請求項２】
前記回路収納部を冷蔵庫本体の上下方向の中央部に設け、前記開口部を前記回路収納部の上部及び下部に設けたことを特徴とする請求項１に記載の冷蔵庫。
【請求項３】
前記回路収納部から電源コードを引き出す電源コード引出し口を冷蔵庫本体の上下方向の略中央部に設けたことを特徴とする請求項１または請求項２に記載の冷蔵庫。
【請求項４】
前記回路収納部の背面を覆う電装カバーを設け、前記回路収納部から電源コードを引き出す電源コード引出し口を前記電装カバー及び前記回路収納部の側方に形成したことを特徴とする請求項１または請求項２に記載の冷蔵庫。
【請求項５】
前記電源コード引出し口は、前記電装カバーの側部及び前記回路収納部の周縁の上下方向に同じ位置に設けられた凹部から成ることを特徴とする請求項４に記載の冷蔵庫。
【請求項６】
前記圧縮機を左右方向の一方に配置するとともに、前記電源コード引出口を他方に配置したことを特徴とする請求項４〜請求項６のいずれかに記載の冷蔵庫。
【発明の詳細な説明】
【技術分野】
【０００１】
本発明は背面部に回路収納部をもつ冷蔵庫に関するものである。
【背景技術】
【０００２】
図９は従来の冷蔵庫の一例を示す側面断面図である。冷蔵庫１は外面を覆う外箱２ａの内側に内箱２ｂが配され、外箱２ａと内箱２ｂとの隙間には発泡ウレタン等の断熱材２ｃが充填されている。冷蔵庫１の内部は上から冷蔵室１１、野菜室１２、冷凍室１３の順に区分けされている。
【０００３】
野菜室１２と冷凍室１３は断熱材から成る仕切枠１７及び仕切板１９によって仕切られており、冷凍室１３は更に断熱材から成る仕切枠１８により上部と下部に仕切られている。冷蔵室１１と野菜室１２とは断熱材から成る仕切枠１６及び樹脂成形品から成る仕切板３１、３２によって仕切られている。仕切板３２には貫通口３２ａが設けられている。
【０００４】
冷蔵室１１の下部には仕切板４６で仕切られた隔離室である氷温室１４が設けられている。冷蔵室１１には食品等を載置する複数の棚４５が設けられている。冷蔵室１１の前面は回動式の断熱扉３により開閉可能になっている。野菜室１２、冷凍室１３の上部及び冷凍室１３の下部は夫々スライド式の断熱扉４、５、６により前面が開閉可能になっており、収納容器５４、５５、５６を引出せるようになっている。
【０００５】
冷凍室１３の後部には圧縮機２０が配されている。圧縮機２０には吐出パイプ２０ａを介して凝縮器（不図示）が連結され、吸込パイプ２０ｂを介して冷却器２１が連結されている。そして、圧縮機、凝縮器、第１キャピラリーチューブ（不図示）、冷却器２５、２１により冷凍サイクルが構成され、冷凍サイクル運転が行われると冷却器２１、２５が冷却されるようになっている。
【０００６】
また、凝縮器と第１キャピラリーチューブの間には切替弁（不図示）が配され、冷却器２１、２５の間と切替弁とを連結する第２キャピラリーチューブ（不図示）が設けられている。これにより、切替弁を切り替えて冷却器２１のみを冷却できるようになっている。冷却器２１、２５の下方には冷却器２１、２５の除霜を行う除霜ヒータ６１、６２が設けられている。６３、６４はドレン受け部材である。
【０００７】
冷却器２１は冷気通路２３内に配されており、冷気通路２３は内箱２ｂと樹脂成形品から成るエバカバー３３とにより形成されている。冷気通路２３内の冷却器２１の上方には送風機２２が配されている。冷気通路２３は冷凍室１３の背面板３３ａに設けられた吐出口１３ａ及び戻り口１３ｂによって冷凍室１３と連通している。
【０００８】
冷却器２５は冷気通路２７内に配されている。冷気通路２７の下部は断熱材から成る野菜室１２の背面板３４と内箱２ｂとにより形成され、戻り口１２ｂにより野菜室１２と連通している。冷気通路２７内の冷却器２５の上方には冷却器２５により生成された冷気を送出する送風機２６が配されている。
【０００９】
冷気通路２７の上部は氷温室１４の背面板３５に固着された断熱材３６と内箱２ｂとにより形成されている。断熱材３６には開口部３６ａが設けられ、開口部３６ａにより氷温室１４が冷気通路２７と連通している。
【００１０】
冷気通路２７の上端には送風機２９が配されている。送風機２９は前面に複数の開口部４１ａを有し、冷蔵室１１に臨む送風機カバー４１が取り付けられている。送風機２９の上方には冷気通路２８が設けられている。冷気通路２８は冷蔵室１１の内壁を形成しアルミニウム等の金属から成る部材４２と内箱２ｂとにより形成されている。
【００１１】
冷蔵室１１の天井部分には冷気通路２８と連通する天井冷気通路５７が設けられ、天井冷気通路５７は樹脂成形品から成る上面板４３と内箱２ｂとにより形成されている。部材４２及び上面板４３には吐出口４２ａ、４３ａ（４３ａは不図示）が設けられている。また、冷蔵室１１の天井中央部には透明な照明カバー５３で覆われる照明灯５１が設けられている。
【００１２】
上記構成の冷蔵庫１において、圧縮機２０が駆動されると冷凍サイクルが実行される。送風機２２が駆動されると、冷凍室１３内の空気は戻り口１３ｂから冷気通路２３に吸引される。該空気は冷却器２１と熱交換して冷却され、吐出口１３ａから冷凍室１３に吐出される。これにより、冷凍室１３内が例えば−２０℃に冷却される。
【００１３】
送風機２６、２９が駆動されると、野菜室１２内の空気は戻り口１２ｂから冷気通路２７に吸引される。該空気は冷却器２５と熱交換して冷却され、開口部４１ａから冷気通路２８に導かれる冷蔵室１１内の空気と混流される。その後、冷気通路２８内を流通して吐出口４２ａ、４３ａから冷蔵室１１内に吐出される。
【００１４】
また、部材４２は金属から成るので、冷気通路２８内を流通する冷気の冷熱の一部は部材４２を介して冷蔵室１１内に冷熱として放出される。これにより、部材４２からの冷熱と吐出口４２ａ、４３ａから吐出される冷気とで冷蔵室１１内が例えば３℃に効率良く均一に冷却される。
【００１５】
冷蔵室１１内の冷気は棚４５の間や棚４５の前面を通り氷温室１４の下方から開口部３２ａを介して冷気通路３０を流通し、野菜室１２内の前方に吐出される。そして、収納容器５４の前面から下方を通って野菜室１２内を冷却し、戻り口１２ｂから冷却器２５の下部に導かれて冷気が循環する。吐出口４２ａ、４３ａから冷蔵室１１に吐出された冷気は、野菜室１２に流入するまでの間に食品や断熱材２ｃ等に冷熱を奪われる。これにより、野菜室１２内は例えば５℃に冷却される。
【００１６】
また、冷却器２５により冷却され、冷気通路２７内を流通する冷気の一部は開口部３６ａから氷温室１４に流入する。これにより、氷温室１４内をより低温に冷却し、例えば−１℃に維持できるようになっている。
【００１７】
そして、冷蔵室１１の背面部上方には、圧縮機２０、送風機２３、２６、２９等電装部品を駆動制御等するための電気回路５８が収納ボックス５８ａ内に設置されている。また、前記収納ボックス５８ａは電装カバー５８ｂにて冷蔵庫１本体の背面側からふさがれている。
【００１８】
また、圧縮機２０の後方には、前記圧縮機２０等を納める空間の機械室を冷蔵庫１本体の背面側から覆う機械室カバー２０ｃが設けられ、前記圧縮機２０や凝縮器（不図示）等の発熱部を覆っている。そして、前記発熱部の冷却のため、凝縮器用送風機（不図示）が設けられており、冷蔵庫１本体下方前方の外部から吸込んだ空気を前記圧縮機２０や凝縮器（不図示）等の発熱部に当たるように流し、前記機械室カバー２０ｃのスリット状の開口部２０ｄから冷蔵庫１本体後方に吐き出して、前記発熱部を冷却している。
【００１９】
また、前記電気回路５８には制御回路が設けられており、前記圧縮機２０、切替弁（不図示）、送風機２２、２６、２９、凝縮器用送風機（不図示）、照明灯５１、除霜ヒータ６１、６２、冷蔵室・冷凍室用温度センサ（不図示）、等の電装部品と前記電気回路５８は各々の配線（例えば：リード線（不図示））にて電気的に接続されており、前記各々の電装部品は冷蔵室１１や冷凍室１３等の状況にあわせて制御されている。そして、前記各々の配線は外箱２ａと内箱２ｂの隙間の主に内箱２ｂ側にその一部をテープ止め等され、その後、前記隙間には発泡ウレタン等の断熱材２ｃが充填され、前記各々の配線は固定されるようになっている。
【００２０】
また、外部電源との接続のための電源コード（不図示）は、前記電気回路５８に接続され、前記収納ボックス５８ａ、電装カバー５８ｂで構成されている回路収納部の電源コード引出し口（不図示）から前記回路収納部の外部へ引き出されている。
【００２１】
なお、回路収納部内の電気回路（制御部）を冷蔵庫の本体の背面部上方に設けられた冷蔵庫は、特許文献１の図４においても開示されている。そして、特許文献２の図１０においても、冷蔵庫本体背面部下方の機械室の機械室カバー（背面板）に開口部（排出口）が設けられ、前記機械室内の部品を冷却した熱風が、冷蔵庫本体背面部の外に排出されるようになった冷蔵庫が開示されている。
【特許文献１】特開平１１−３１１４７３号公報
【特許文献２】特開２０００−１８８００号公報
【発明の開示】
【発明が解決しようとする課題】
【００２２】
前記のような冷蔵庫では、図９において、冷蔵庫１の上方にある制御回路を含む電気回路５８と、電装部品である冷蔵庫１の下方にある圧縮機２０、切替弁（不図示）、凝縮器用送風機（不図示）、除霜ヒータ６２、送風機２２、冷凍室用温度センサ（不図示）等とは、非常に遠い位置関係となり、前記電気回路５８と前記各々の電装部品とを電気的に接続する配線（例えば：リード線）の太い束は冷蔵庫１後方の外箱２ａと内箱２ｂの間の上から下までの多くの領域を貫き、前記配線の束の長さはかなり長くなり、その組立作業性は非常に悪く、手間のかかるものであるばかりでなく、外箱２ａと内箱２ｂの隙間に充填される断熱材２ｃの断熱性の低下をまねき、しかも、前記断熱材２ｃがウレタン等の発泡断熱材であるときは、前記配線の束の引き回し状態によっては、発泡断熱材の回り方が悪く、ボイド（ガス空間）等の発泡不良の発生の可能性も増すという課題がある。
【００２３】
また、圧縮機２０や送風機２２、２６、２９や凝縮器用送風機（不図示）等の回転機器を周波数変換等により回転数制御を行うときは、前記電気回路５８からの発熱量は非常に多くなり、前記収納ボックス５８ａ、電装カバー５８ｂで構成されている回路収納部内の温度はかなり上昇するにもかかわらず、前記圧縮機２０や凝縮器（不図示）等を納める空間の機械室からの発熱により暖められた空気が冷蔵庫１本体背面を上昇し、前記電装カバー５８ｂ表面を覆うため、前記回路収納部内の温度の低減には悪い影響を与え、温度保証のため、前記電気回路５８の電気部品や回路基板は、許容限界温度のより高いものを使用する必要があるという課題がある。
【００２４】
更に、回路収納部の電源コード引出し口（不図示）から前記回路収納部の外部へ引き出されている電源コードの長さは、外部電源が床面近くの下方にあるときのために余裕をもったかなりの長さにしてあり、外部電源が冷蔵庫用として床面から上方にある場合には、電源コードの弛んだ部分が多くなり、非常に無駄であるという課題もある。
【００２５】
そして、特許文献１や特許文献２に開示されている冷蔵庫についても、前記と同様の課題がある。
【課題を解決するための手段】
【００２６】
本発明の冷蔵庫は前記のような課題を解決したもので、下方に配される圧縮機と、前記圧縮機に接続される冷却器と、前記冷却器の周辺に設けられる送風機と、電気回路を収納するとともに複数の開口部を設けた回路収納部と、前記圧縮機及び前記送風機を前記電気回路に電気接続する配線とを備え、前記配線が複数の前記開口部から分かれて前記回路収納部内に引き込まれることを特徴としている。
【００２７】
また、本発明は上記構成の冷蔵庫において、前記回路収納部を冷蔵庫本体の上下方向の略中央部に設け、前記開口部を前記回路収納部の上部及び下部に設けたことを特徴としている。
【００２８】
また、本発明は上記構成の冷蔵庫において、前記回路収納部から電源コードを引き出す電源コード引出し口を冷蔵庫本体の上下方向の中央部に設けたことを特徴としている。
【００２９】
また、本発明は上記構成の冷蔵庫において、前記回路収納部の背面を覆う電装カバーを設け、前記回路収納部から電源コードを引き出す電源コード引出し口を前記電装カバー及び前記回路収納部の側方に形成したことを特徴としている。
【００３０】
また、本発明は上記構成の冷蔵庫において、前記電源コード引出し口は、前記電装カバーの側部及び前記回路収納部の周縁の上下方向に同じ位置に設けられた凹部から成ることを特徴としている。
【００３１】
また、本発明は上記構成の冷蔵庫において、前記圧縮機を左右方向の一方に配置するとともに、前記電源コード引出口を他方に配置したことを特徴としている。
【発明の効果】
【００３２】
本発明の冷蔵庫は前記のような構成であるから、本発明によれば、電装部品と電気回路との間の配線の一部は従来品に比べ短くなるため、コスト的にも安くなり、組立性や仕上がりの信頼性も向上し、しかも、配線材によるウレタン等の発泡時の流れを阻害する個所の発生する可能性も減少し、断熱材内のボイド（ガス空間）発生の可能性も減少することとなり、断熱性の維持の向上に役立つとともに、断熱材内に熱伝導性の高い配線材の占める領域も減り、断熱性の向上に役立ちエネルギーの省力化となる冷蔵庫が得られる。
【００３３】
また、本発明によれば、回路収納部に設けられた電源コードを短くでき、コスト的にも有利であり、組立性も向上し、コンセントに接続しても無駄なコードのたるみも減少し、コードの傷付きの可能性も少ない冷蔵庫が得られる。
【発明を実施するための最良の形態】
【００３４】
以下、本発明の冷蔵庫の実施の形態を図面とともに説明する。
【００３５】
図１は本発明の冷蔵庫を示す側面断面図、図２は図１の冷蔵庫の正面図、図3は本発明の冷蔵庫の冷凍サイクルを示す図、図4は本発明の冷蔵庫の部材を示す拡大図、図５は本発明の冷蔵庫の他の部材を示す拡大図、図６は野菜室１２付近から下の配線状態の図、図７R>７は回路収納部から機械室に通じる連通路の図、図８は機械室やその周辺の上から見た図である。
【００３６】
なお、説明の便宜上、従来例の図９と同一の部分については同一の符号を付している。
【００３７】
図１および図２において、冷蔵庫１は外面を覆う外箱２ａの内側に内箱２ｂが配され、外箱２ａと内箱２ｂとの隙間には発泡ウレタン等の断熱材２ｃが充填されている。冷蔵庫１の内部は上から冷蔵室１１、野菜室１２、冷凍室１３の順に区分けされている。
【００３８】
野菜室１２と冷凍室１３は断熱材から成る仕切枠１７及び仕切板１９によって仕切られており、冷凍室１３は更に断熱材から成る仕切枠１８により上部と下部に仕切られている。冷蔵室１１と野菜室１２とは断熱材から成る仕切枠１６及び樹脂成形品から成る仕切板３１、３２によって仕切られている。
【００３９】
冷蔵室１１の下部には仕切板４６で仕切られた隔離室である氷温室１４が設けられている。冷蔵室１１には食品等を載置する複数の棚４５が設けられている。冷蔵室１１の前面は回動式の断熱扉３により開閉可能になっている。野菜室１２、冷凍室１３の上部及び冷凍室１３の下部は夫々スライド式の断熱扉４、５、６により前面が開閉可能になっており、収納容器５４、５５、５６を引出せるようになっている。
【００４０】
冷凍室１３の後部には断熱層を介して圧縮機２０が配されており、圧縮機２０は冷気通路２３、２７内に配される冷却器２１、２５に接続されて冷凍サイクルが構成されている。
【００４１】
冷凍サイクルの一例の回路図を図３に示すと、圧縮機２０には凝縮器７１が連結されており、矢印Ａ１のように冷媒がキャピラリーチューブ７２、７３及び冷却器２５を通って圧縮機２０に戻る第１の冷凍サイクルが構成されている。また、矢印Ａ２のように冷媒がキャピラリーチューブ７２、７４及び冷却器２１を通って圧縮機２０に戻る第２の冷凍サイクルが構成されている。
【００４２】
第１の冷凍サイクルと第２の冷凍サイクルとは並列に構成され、開閉弁７８を開くと第１の冷凍サイクルと第２の冷凍サイクルとが同時に実行される。従って、冷却器２１、２５による冷却が行われ、送風機２２、２６の駆動により冷凍室１３及び冷蔵室１１に冷気が送出される。
【００４３】
開閉弁７８を閉じると、第２の冷凍サイクルが実行され、冷却器２１による冷却が行われて送風機２６の駆動により冷凍室１３のみの冷却が行われる。冷蔵室１１と冷凍室１３とのそれぞれに専用の冷却器２５、２１を設けているので、冷却器２５を通る冷気の冷却温度を高く設定して冷却器２５、部材４２及び冷蔵室１１内の結露や氷結を抑制することができるようになっている。また、冷蔵室１１及び野菜室１２の庫内温度が所定内にある場合に、圧縮機２０を冷凍室１３の冷却にのみ使用して冷凍室１３の冷凍能力をより高くできるようになっている。
【００４４】
更に、冷却器２１、２５を並列に配しているので、冷媒の流通する配管接続を簡素化することができる。即ち、溶接箇所の多くを圧縮機２０が配される機械室内に設けることができ生産性やメンテナンス性が向上する。尚、７５、７６は冷蔵室及び冷凍室内の温度を検知する温度センサであり、温度センサ７５、７６の検知によって圧縮機２０の駆動や開閉弁７８の開閉が実施されるようになっている。また、７７は凝縮器７１の少なくとも一部を冷却する凝縮器用送風機である。
【００４５】
また、図１、図２において、冷却器２１、２５の下方には冷却器２１、２５の除霜を行う除霜ヒータ６１、６２が設けられている。６３、６４はドレン受け部材である。冷却器２１は冷気通路２３内に配されており、冷気通路２３は内箱２ｂと樹脂成形品から成るエバカバー３３とにより形成されている。送風機２２は冷気通路２３内の冷却器２１の上方に配されている。冷気通路２３は冷凍室１３の背面板３３ａに設けられた吐出口１３ａ、１３ｃ及び戻り口１３ｂによって冷凍室１３と連通している。なお、エバカバー３３と背面板３３ａで形成される空間で、吐出口１３ａ、１３ｃ側空間と戻り口１３ｂ側空間とは、背面板３３ａからエバカバー３３側へ突出した突起壁がエバカバー３３に達しており、互いに前記突起壁で仕切られている。
【００４６】
冷却器２５は冷気通路２７内に配され、送風機２６は冷却器２５の上方に配されている。冷気通路２７の下部は氷温室１４の背面板３５と内箱２ｂとにより形成されている。冷気通路２７の上部は冷蔵室１１の背壁を形成する部材４２と内箱２ｂ、あるいは隔壁２７ａと内箱２ｂにより形成されている。隔壁２７ａは冷却器２５と圧力室２７ｂとを隔離し、隔壁２７ａに送風機２６が取り付けられている。部材４２は図４に示すようにアルミニウムやステンレス等の金属板を板金加工して形成さている。
【００４７】
冷蔵室１１の天井部分には冷気通路２７と連通する天井冷気通路５７が設けられ、天井冷気通路５７は樹脂成形品から成る上面板４３と内箱２ｂとにより形成されている。部材４２及び上面板４３には吐出口４２ａ、４３ａが設けられている。冷蔵室１１の天井中央部には透明な照明カバー（図９における符号５３）で覆われた従来例と同様の照明灯（図９における符号５１）が設けられ冷蔵室１１内を照明するようになっている。
【００４８】
冷気通路２７の左方には、製氷器６７に給水を行う給水ポンプ６６が配されており、その前方には給水タンク（不図示）がセットされるようになっている。また、冷気通路２７の右方には送風機２６の吐出側から分岐して氷温室１４の背面に冷気を導く氷温ダクト６０が設けられている。また、野菜室１２の背後には、圧縮機２０、送風機２３、２６等を駆動制御するための電気回路５８が断熱材２ｃ等の断熱層を介して設置されている。
【００４９】
上記構成の冷蔵庫１において、圧縮機２０の駆動により冷却器２１による冷却が行われ、送風機２２が駆動されると、冷凍室１３内の空気は戻り口１３ｂから冷気通路２３に吸引される。該空気は冷却器２１と熱交換して冷却され、吐出口１３ａ、１３ｃから冷凍室１３に吐出される。これにより、冷凍室１３内が例えば−２０℃に冷却される。
【００５０】
送風機２６が駆動されると、野菜室１２内の空気は戻り口１２ｂから冷気通路２７に吸引される。該空気は冷却器２５と熱交換して冷却され、冷気通路２７内を流通して吐出口４２ａ、４３ａから冷蔵室１１内に吐出される。
【００５１】
また、部材４２は金属から成るので、冷気通路２７内を流通する冷気の冷熱の一部は部材４２を介して冷蔵室１１内に冷熱として放出される。これにより部材４２から放出される冷熱と吐出口４２ａ、４３ａから吐出される冷気とで冷蔵室１１内が例えば３℃に効率良く均一に冷却される。また部材４２は熱伝導性の高い材料であればよく、セラミック材料や金属フィラーを含浸した樹脂材料等を使用してもよい。
【００５２】
冷蔵室１１内の冷気は棚４５の間や棚４５の前面を通り連通路１２ａを介して野菜室１２内の前方に吐出される。そして、収納容器５４の前面から下方を通って野菜室１２内を冷却し、戻り口１２ｂから冷気通路２７に導かれて冷気が循環する。吐出口４２ａ、４３ａから冷蔵室１１に吐出された冷気は、野菜室１２に流入するまでの間に食品等に冷熱を奪われる。これにより、冷蔵室１１内を循環する冷気の温度は上昇し、その上昇した冷気が野菜室１２に流入するため、野菜室１２内は例えば５℃に冷却される。
【００５３】
また、送風機２６から送出される冷気が直ちに氷温ダクト６０を介して吐出口６０ａから氷温室１４に適量吐出される。これにより、氷温室１４内の温度を例えば−１℃に維持できるようになっている。氷温室１４は内部に吐出される冷気量を少量にして室温を０℃付近にするとチルド室となり、冷気量をより少なくして室温が５℃付近にすると野菜室にもなる。冷気量の可変は、吐出口６０ａを覆うように枢支された扉の開閉等により行うことができる。
【００５４】
本実施形態によると、冷気通路２７を通る冷気の冷熱の一部を部材４２により伝えて部材４２の全面から冷蔵室１１内に放出される。従って、冷蔵室１１の背面の略全幅を部材４２により覆っているので、冷蔵室１１の背面から一様に冷気を放出することができ、冷蔵室１１内を均一に冷却することができる。そして、冷却器２５が部材４２の配された冷蔵室１１に面して冷蔵室１１の上方に配置されており、従来例のように野菜室１２に面して配置されないので、冷却器２５から吐出口４２ａ、４３ａまでの経路及び、冷却器２５と部材４２との距離が短縮される。
【００５５】
これにより、冷気通路２７の送風機の吐出側が短くなり通風効率が向上する。また、冷気通路２７の全体の長さが短くなるため更に通風効率が向上する。そして、冷気が冷気通路２７を通る経路途中の吸熱を低減して冷蔵室１１に冷気の吐出や上方からの冷熱の放出を行うことができるので、冷却器２５による冷却効率を向上させることができる。しかも、冷蔵室１１を更に均一に冷却させることができる。また、冷却器２５の前面に従来例のように厚い断熱材３４（図９参照）を設ける必要なく、冷蔵庫１内のスペースの利用効率を向上させることができる。
【００５６】
尚、冷却器２５及び部材４２の一方または両方を冷蔵室１１の天井面１１ａや側壁１１ｂに配置しても同様の効果を得ることができる。また、部材４２の厚みが厚い場合は蓄冷能力が上がり、強度も増加する。厚みが薄い場合は冷熱の放出効率が向上し、軽量化にも有利である。そのため、目的に応じて薄板材や厚板材を適時適所に選択して設ければよい。
【００５７】
部材４２は図５に示すようなゼリー状や液状の保冷材４２ｃを金属等の包装材４２ｆ、４２ｇにより封入した蓄冷部材にしてもよい。このようにすると、部材４２は冷気通路２７内を流通する冷気の冷熱でより蓄冷され、冷蔵室１１内の温度分布に応じて冷熱として放出する。従って、冷蔵室１１が均一に冷却されるようになる。更に、蓄冷部材により圧縮機２０の停止中や冷気通路２７内の冷気温度の変動に対して吸熱や放熱を行い、冷気通路２７内の冷気温度を一定に維持することができる。そして、冷蔵室１１内の温度を安定して均一に一定の温度に保つことができる。
【００５８】
冷気通路２７内を流通する冷気は冷却器２５の前面側を通るようになっており、部材４２と冷却器２５とを離間して配置している。これにより、冷却器２５が極低温（例えば−１５℃）となっても部材４２が過冷却とならず、結露、氷結、霜付きを防止することができる。その結果、室内の冷気乾燥が防止されて乾燥しやすい貯蔵物（野菜や生もの）の貯蔵に適した冷蔵庫を得ることができる。
【００５９】
また、部材４２と冷却器２５とを離間することで、冷却器２５を内箱２ｂに固定した後、配管により圧縮機２０に冷却器２５を接続し、その後部材４２を設置すればよい。このため、従来のような冷却器２５と一体になった部材４２を設置するよりも組立が容易となる。そして、部材４２の幅が冷却器２５や隔壁２７ａの幅よりも大きいので、配管に連結された溶接部や隔壁２７ａ等を部材４２により覆うことができ、別途隠蔽するための部材を設ける必要がない。しかも、冷却器２５からの冷熱を幅広く間接的に冷蔵室１１内へ放出できるので均一で氷結や結露の心配のない冷却効率のよい冷蔵庫を得ることができる。
【００６０】
また、冷気通路２７の幅を大きくすると冷気通路２７の断面積が大きくなって冷気の流通速度が低下する。本実施形態では冷気通路２７の幅を部材４２の幅の１／２よりも大きくしており、更に冷却器２５の幅を広くしている。このため、同一の風量の送風機を使用しても冷気の流通速度が低下して通風抵抗が小さくなる。その結果、冷却器２５と冷気との熱交換効率及び送風機２６の送風効率を向上させることができる。従って、冷却器２５の冷却効率を向上させることができる。また、送風機２６の使用電力も少なくでき、送風による騒音も低減することができる。
【００６１】
また、冷蔵室１１の背面からは部材４２による冷熱の放出と、吐出口４２ａを介して冷気の吐出が行われ、冷蔵室１１の前部から天井冷気通路５７を通って吐出口４３ａを介して冷気が吐出されるので、冷蔵室１１の全体を均一に冷却することができる。しかも、送風機２６は冷却器２５の上方にあるため天井冷気通路５７に近づいて設けられ、天井冷気通路５７の奥（冷蔵室の前方側）に配される吐出口４３ａまで効率良く冷気を送ることができる。なお、吐出口４３ａは上面板４３の全面の多くの部分に設けて、棚４５に上下に冷気が通過する小さな開口部を適所に設けると、冷蔵室１１は更に均一に冷却される。
【００６２】
また、部材４２に吐出口４２ａを設けず、上面板４３の吐出口４３ａを冷蔵室１１の前方に形成すると、吐出された冷気は冷蔵室１１の前面を流下し、開閉扉３を開いた際にエアカーテンとなって外気の進入を抑制して庫内の温度上昇を抑制することができる。
【００６３】
また、戻り口１２ｂは吐出口４２ａ、４３ａと離れた位置に配されているため、吐出された冷気が冷蔵室１１を循環しないまま戻り口１２ｂに流入するようなショートサーキットを防止して、冷却効率の向上を図ることができる。しかも、部材４２の全面を冷熱放出として利用することができ、室内の均一冷却が可能となるとともに、上方から冷蔵室内を照明する照明光の反射板として利用することができ室内を均一に照明することができる。
【００６４】
また、冷蔵室１１及び冷凍室１３に比して庫内温度の高い野菜室１２の背後に電気回路５８を設置することによって断熱材２ｃの厚みを薄くすることができ、冷蔵庫１のスペースの利用効率をさらに向上させることができる。
【００６５】
そして、冷却器２５に通じる冷気通路２７は、断熱層である内箱２ｂや断熱材２ｃを介して、電気回路５８を収納する回路収納部の収納ボックス５８ａや電装カバー５８ｂの上下方向で上方に位置しており、前後方向で冷気通路２７と回路収納部が重ならず、これもまた、野菜室１２のスペースの利用効率を向上させることとなる。
【００６６】
しかも、冷気通路２７の下方に戻り口１２ｂを設けているため、野菜室１２の背面の上方に戻り口１２ｂが位置することになり、野菜室後方上部付近まで充分冷気が回ることになり、いっそう効率のよい野菜室１２の冷却が可能となっている。
【００６７】
なお、収納容器５４の上方には、野菜ケースカバー５４ａが収納容器５４の上方開口部を覆うように設けられているが、野菜ケースカバー５４ａと仕切板３１、３２とによってできる空間も、連通路１２ａを介して野菜室１２内の前方に吐出された冷蔵室１１内の冷気の一部が後方に流れる冷気通路となるが、野菜ケースカバー５４ａや仕切板３１、３２の少なくともどちらか一方から凸部を設け、その冷気通路の開口面積を調整することにより、野菜ケースカバー５４ａ上を後方に流れる冷気の量や、収納容器５４の前方を流れる冷気の量を適度に設定でき、収納容器５４内の貯蔵物を効率よく適温に間接冷却することが可能となる。
【００６８】
そして、戻り口１２ｂ付近の収納ボックス５８ａ上方に位置する内箱２ｂは、後方に行く程高くなる傾斜面となっており、戻り口１２ｂに吸込まれた戻り冷気は、流れの方向を変えて、内箱２ｂの垂直面にそうように、冷気通路２７内を上方に流れやすくなっている。そのため、通風抵抗が減少し通風効率の向上に役立つとともに、渦流の発生をも防ぐこともでき、送風騒音の低下にも役立つことになる。
【００６９】
しかも、収納ボックス５８ａの上部が略水平面であるときは、収納ボックス５８ａの上部と前記内箱２ｂの傾斜面との間に充填された断熱材２ｃは、戻り口１２ｂの上下方向での開口面積を狭めることなく、前記略水平面である収納ボックス５８ａの上部の前方において厚くとることができ、電気回路５８からの発熱を充分断熱することとなり、電気回路５８からの発熱等の庫内側への侵入を防ぎ、冷却効率の向上となる。なお、前記略水平面である収納ボックス５８ａの上部の前方から後方においては、更に断熱材２ｃの厚さが増し、いっそう電気回路５８からの発熱等の庫内側への侵入を防ぐことになり、より冷却効率の向上に役立つこととなる。
【００７０】
また、収納ボックス５８ａの上部を前記内箱２ｂの傾斜面同様に後方に行く程高くなる傾斜面で、前記内箱２ｂの傾斜面とその周辺の断熱材２ｃと収納ボックス５８ａの傾斜面をもつ上部とからなる断熱層を必要厚さに保った傾斜面とすると、断熱効率を損なわずに収納ボックス５８ａ等からなる回路収納部内の容積を大きくでき、電気回路５８の収納がしやすくなり、電気回路５８の大きさに適度にあわせることにより、回路収納部を小さくでき、その周辺の内箱２ｂの庫内側への突出し量が減り、これもまた、断熱効率を損なわずに、スペースの利用効率を向上させることとなる。
【００７１】
なお、前記で、収納ボックス５８ａ上方に位置する内箱２ｂの傾斜面や収納ボックス５８ａの上部の傾斜面は該当する部分の一部であっても、ある程度の前記効果が得られることとなり、また、傾斜面の少なくとも一部が曲面であってもよく、前記内箱２ｂの傾斜面とその付近の内箱２ｂの略垂直面とを、上に凹となる曲面の一部で滑らかに結ぶと、内箱２ｂの製作で真空成形の場合は内箱２ｂのエッジ部での破れが生じにくくなるとともに、冷気流の方向が徐々に変わることになり、冷気が更に流れやすくなる。
【００７２】
また、収納ボックス５８ａと電装カバー５８ｂの上方とで、回路収納部に開口部５８ｃを設けてあるため、電気回路５８の発熱で暖められた空気が、開口部５８ｃから外部に流れ出し、収納ボックス５８ａと電装カバー５８ｂの下方とで設けられた、回路収納部の開口部５８ｄから外気が侵入し、収納ボックス５８ａと電装カバー５８ｂとで構成される回路収納部内にある電気回路５８の冷却に役立つばかりでなく、外気温度を検出するための外気温度センサが電気回路５８に設けられている場合は、より正確な外気温が検出されることになり、しかも、外気が侵入する前記開口部５８ｄ付近に前記外気温度センサを設けておくと、更にその正確さは確実なものとなる。
【００７３】
しかも、収納ボックス５８ａの上部の傾斜面は、後方に行く程高くなっており、開口部５８ｃがその傾斜面の高い部分近くにあるため、暖められた空気は留まることなく開口部５８ｃ付近に流れ、開口部５８ｃから外部に流れ出しやすくなっている。なお、本図における開口部５８ｃ近くの、収納ボックス５８ａの下方に伸びている部分を少なくすると、更に流れ出しやすくなる。
【００７４】
また、前記開口部５８ｃ付近の収納ボックス５８ａと電装カバー５８ｂは、収納ボックス５８ａからの壁面が外側となるように、前後方向で重なっているため、外部からの水の浸入をある程度防ぐことができるようになっている。
【００７５】
なお、前記開口部５８ｃや開口部５８ｄは収納ボックス５８ａや電装カバー５８ｂに単独で設けても同様の効果は得られる。また、前記開口部５８ｃの上部を、壁面から続けて後方に突出したり、その突出しの後方先端を下方に下げて前記開口部５８ｃの開口部の少なくとも一部と重ねたりしておくと、外部からの水の浸入に対しある程度の防御の役目になる。
【００７６】
そして、開口部５８ｄについても同様に、開口部５８ｄの上部を、壁面から続けて後方に突出したり、その突出しの後方先端を下方に下げて前記開口部５８ｄの開口部の少なくとも一部と重ねたり、開口部を前後方向で重なるようにして、開口を本図のように下向きにしておくと、外部からの水の浸入を防ぐ役目になる。
【００７７】
また、送風機２２付近の収納ボックス５８ａ下方に位置する内箱２ｂは、後方に行く程低くなる傾斜面となっており、送風機２２のファンに吸引される送風機２２後方周辺の内箱２ｂ付近の冷気は、徐々に方向を変えて内箱２ｂの傾斜面にそうように送風機２２のファン方向に流れやすくなっており、送風効率の向上に役立つとともに、渦流の発生をも防ぐこともでき、送風騒音の低下にも役立っている。
【００７８】
そして、収納ボックス５８ａの下部が略水平面であるときは、収納ボックス５８ａの下部と前記内箱２ｂの傾斜面との間に充填された断熱材２ｃは、前記送風性能を維持したまま、前記略水平面である収納ボックス５８ａの下部の前方において厚くとることができ、電気回路５８からの発熱を充分断熱することとなり、電気回路５８からの発熱等の庫内側への侵入を防ぎ、冷却効率の向上となる。なお、前記略水平面である収納ボックス５８ａの下部の前方から後方においては、更に断熱材２ｃの厚さが増し、いっそう電気回路５８からの発熱等の庫内側への侵入を防ぐことになり、より冷却効率の向上に役立つこととなる。
【００７９】
また、収納ボックス５８ａの下部を前記内箱２ｂの傾斜面同様に後方に行く程低くなる傾斜面で、前記内箱２ｂの傾斜面とその周辺の断熱材２ｃと収納ボックス５８ａの傾斜した下部とからなる断熱層を必要厚さに保った傾斜面とすると、断熱効率を損なわずに収納ボックス５８ａ等からなる回路収納部内の容積を大きくでき、電気回路５８の収納がしやすくなり、電気回路５８の大きさに適度にあわせることにより、回路収納部を小さくでき、その周辺の内箱２ｂの庫内側への突出し量が減り、これもまた、断熱効率を損なわずに、スペースの利用効率を向上させることとなる。
【００８０】
なお、前記で、収納ボックス５８ａ下方に位置する内箱２ｂの傾斜面や収納ボックス５８ａの下部の傾斜面は該当する部分の一部であっても、ある程度の前記効果が得られることとなり、また、傾斜面の少なくとも一部が曲面であってもよく、前記内箱２ｂの傾斜面とその付近の内箱２ｂの略垂直面とを、上に凸となる曲面の一部で滑らかに結ぶと、内箱２ｂの製作で真空成形の場合は内箱２ｂのエッジ部での破れが生じにくくなるとともに、冷気が更に流れやすくなる。
【００８１】
しかも、収納ボックス５８ａの下部の傾斜面は、後方に行く程低くなっており、開口部５８ｄがその傾斜面の低い部分近くにあるため、たとえ収納ボックス５８ａの内部に、水が浸入したり、前記内部で結露等により水分が発生したりしても、前記水や水分が収納ボックス５８ａの下部に集まり、前記傾斜面を伝って開口部５８ｄから外部に流れ出るため、収納ボックス５８ａの内部からの排水効果が生じる。
【００８２】
また、前記のように、前記開口部５８ｄ付近の電装カバー５８ｂを、収納ボックス５８ａからの壁面や冷蔵庫１本体の背面部より外側となるように、前後方向で重なっているため、外部からの水の浸入をある程度防ぐことができるようになっている。
【００８３】
また、前記のような開口部５８ｃや開口部５８ｄのどちらか一方のみを設けても、程度の差はあるとしても、ある程度の前記に該当する個別の効果は生じることとなる。そして、電装カバー５８ｂに前記同様の開口部を数カ所設けると更に収納ボックス５８ａ内の冷却効果は増す。
【００８４】
また、冷凍室１３と断熱層を介して設けられた、冷凍室１３の下の圧縮機２０等が配された機械室を含む空間を、前後に伸びた仕切壁で左右に仕切り、その仕切壁の後方の圧縮機２０近くに凝縮器用送風機７７を設け、右側に圧縮機２０を設け、左側に凝縮器７１の少なくとも一部を設け、左側前方から凝縮器用送風機７７の運転により外気を吸込み、左側に設けられた前記凝縮器７１の少なくとも一部を冷却し、凝縮器用送風機７７を通過した空気が圧縮機２０の表面を冷却した後、右側前方から室内に吐出されるような通路を前記空間に設けておくと、凝縮器用送風機７７により凝縮器７１の少なくとも一部や圧縮機２０やその他機械室や前記空間にある発熱体を冷却できることになる。
【００８５】
なお、前記で圧縮機２０、凝縮器７１等の位置が左右方向で入れ替わり、それに応じ送風方向も入れ替わった状態になっても、同様の効果が得られることは明白である。
【００８６】
そして、圧縮機２０等が設けられている機械室をふさぐための機械室カバー２０ｃの、前記仕切壁より左側の、凝縮器用送風機７７が運転されたときに大気圧より低圧になる部分に、開口部２０ｄを設けると、前記通路の低圧側に開口部２０ｄが設けられることになり、冷蔵庫１の背面外側からも開口部２０ｄを通って空気が吸い込まれ、圧縮機２０等のある機械室の部品を冷却するのに役立つ。
【００８７】
しかも、従来のように、圧縮機２０等の機械室にある発熱する部品を冷却した熱風を、冷蔵庫１の背面外側に排出することなく、冷蔵庫１の背面外側の空気をさえ吸込むため、熱風排出による冷蔵庫１の背面付近の外気の温度上昇はなく、しかも、電気回路５８を収納している収納ボックス５８ａや電装カバー５８ｂは、従来品よりも低い位置にあるため、その周辺の外気温度の上昇は少なく、その結果、電気回路５８の温度上昇も従来よりは低くおさえられることになり、これもまた、電気回路５８の電気部品や回路基板を、許容限界温度の低いものを使用できたり、従来部品を使用したときは温度限度の余裕度が増し、品質の向上につながることになる。
【００８８】
更に、圧縮機２０のある側の前記通路の、圧縮機２０前方に前後方向の仕切を追加して前記凝縮器用送風機７７を設け、圧縮機２０後方付近の機械室カバー２０ｃに開口部２０ｄ同様の開口部を設けると、圧縮機２０近くの冷蔵庫１の背面側外気をも吸込むため、圧縮機２０の冷蔵庫１の背面側を更に冷却でき、機械室カバー２０ｃのその付近の圧縮機２０による温度上昇が更に低くおさえられ、電気回路５８を収納している収納ボックス５８ａや電装カバー５８ｂ周辺の外気温度の上昇は更に少なくなる。
【００８９】
なお、圧縮機２０の輻射熱の外部への放射を低く維持するため、図１のように、前記開口部２０ｄの後方は開口部２０ｄの上部から続く壁面で覆われ、下方に開口しているようにするとよく、開口部２０ｄ周辺の補強にもなり、機械室への水の浸入防止にも役立つ。
【００９０】
また、開口部２０ｄや前記機械室等の低圧部と回路収納部である収納ボックス５８ａ、電装カバー５８ｂの開口部（例えば：開口部５８ｃ、５８ｄ）を連通路で結び、前記回路収納部内と機械室等の低圧部と前記連通路でつながるようにして、前記回路収納部に外気に通じる開口部を別に設けると、前記回路収納部内の空気が前記機械室の低圧部に流れ込み、前記回路収納部内の電気回路５８を強制冷却できるようになり、電気回路５８の電気部品や回路基板を、さらに許容限界温度の低いものを使用できたり、従来部品を使用したときは温度限度の余裕度が増し、さらに品質の向上につながることになる。
【００９１】
そして、周波数変換等により圧縮機２０等の回転数制御をする回路収納部内にある電気回路５８の部品の発熱量が増加して冷却がより必要となっても、前記回路収納部と圧縮機２０や凝縮器用送風機７７のある機械室とが近づき、短い連通路で互いに結ぶことができるようになったため、連通路の通風抵抗も少なく、通風面積も少なくてもよく、従来から使用のような小型の凝縮器用送風機７７であっても充分冷却に役立つことになる。
【００９２】
また、回路収納部より下方で、冷蔵庫１の背面側となる位置に、外部に通じる開口部を設け、前記連通路の機械室側開口部につながる部分を前記開口部につなぎ、回路収納部内と冷蔵庫１の背面側の外部空間とをつなぐようにして、前記回路収納部上方に外気に通じる開口部を別に設けると、自然対流による換気が可能となり、回路収納部内の電気回路５８を冷却するとともに、回路収納部内との前記連通路の接続は、前記回路収納部下面側と前記連通路をつなぐようにすると、排水も可能となった連通路となる。
【００９３】
なお、前記連通路は冷蔵庫１背面表面にダクト状のものを設けて形成してもよく、庫内側の断熱厚さが充分とれるものであれば、断熱材２ｃ内に設けてもよい。
【００９４】
また、冷蔵庫１の下方にある送風機２２の上方近くの冷蔵庫１の背面側に断熱材２ｃを含む断熱層を介して回路収納部である収納ボックス５８ａ、電装カバー５８ｂを設け、その内部に電気回路５８を設け、圧縮機２０を含む各電装部品に各々配線（例えば：リード線）にて電気的に接続してあるため、前記圧縮機２０、開閉弁（図３に示す符号７８）７８、冷凍室１３側の除霜ヒータ６２、や送風機２２、凝縮器用送風機７７、冷凍室１３用の温度センサ（図３に示す符号７６）、製氷機６７等の電装部品と電気回路５８との間の配線は従来品に比べ非常に短くなる。また、前記回路収納部内の電気回路５８から、各々の電装部品へ接続のための配線が、上下に分かれて引き出されるため、その各々の配線の束の太さは、下方一方に引き出される従来品よりも細くなる。
【００９５】
それゆえ、配線材がコスト的にも安くなり、冷蔵庫に配線や配線の束を組み込む作業もやりやすくなるため、組立性や仕上がりの信頼性も向上する。また、内箱２ｂの断熱材２ｃ側に配線や配線の束をテープ等で適所を仮止めした後、内箱２ｂと外箱２ａとの隙間に発泡ウレタン等の断熱材２ｃを充填したとき、前記配線材の占める個所が少なく、配線の束が細いいため、配線材によるウレタン等の発泡時の流れを阻害するような個所の発生の可能性も減少し、断熱材２ｃ内のボイド（ガス空間）発生の可能性も減少することとなり、断熱性の維持の向上に役立つとともに、断熱材２ｃ内に熱伝導性の高い配線材の占める領域も減り、断熱性の向上に役立つこととなり、エネルギーの省力化となる。
【００９６】
なお、図１においては、冷蔵室１１側の給水ポンプ６６、除霜ヒータ６１や送風機２６、冷蔵室１１用の温度センサ（図３に示す符号７５）等への電気回路５８との配線の長さは、従来品とあまりかわらないが、従来品と配線の引き回し方向が異なり、圧縮機２０のある側と逆の方向となり、各々の配線を束ねた太さは従来品より細く（例えば：図９従来品＝最大束直径約２０ｍｍ、図１発明品＝最大束直径約１５ｍｍ）なり、配線の束の引き回しやテープ等での仮止め等の組立上の作業性は向上する。
【００９７】
そして、照明灯５１への配線は長くなるが、配線の数が少ない（例えば：４本）ため、断熱性や作業性の低下の可能性は非常に少ない。また、前記で除霜ヒータ６１、冷却器２５、送風機２６を下方に下げ、収納ボックス５８ａ、電装カバー５８ｂの回路収納部上方近くに設けると、電気回路５８との配線の長さは更に短くなり、いっそう前記各々のの効果は向上する。
【００９８】
しかも、収納ボックス５８ａ、電装カバー５８ｂの回路収納部の下方壁面または側方壁面の下方に配線引出し口を設け、前記各々の配線を引き出すと、配線の多くを占める下方に向かう配線の長さは更に短くてすみ、より前記の効果は向上する。しかも、回路収納部の下方壁面に配線引出し口を設けた場合は、断熱層の厚さが薄い等の原因で、たとえ配線周辺に結露が生じても、その結露による水分は上方には上がりにくく、回路収納部への水分の侵入を防ぐことができる。
【００９９】
また、前記回路収納部の上方壁面または側方壁面の上方に異なる配線引出し口を設け、上方に向かう配線を引き出すと、配線の引出し口の数は増加し、断熱材２ｃの回路収納部内への侵入を防ぐためのシール処理数は増加するが、上方に向かう配線材の長さは更に短くなり、いっそう前記の効果は向上することとなる。
【０１００】
また、電源コード引出し口５８ｅを回路収納部の上方である上下方向で中央よりに設けると、電源コード引出し口５８ｅとコンセント（外部電源の差込口）の上下方向での距離は、前記コンセントが部屋の壁の上方にある場合であっても下方にある場合であっても同じような値となり、冷蔵庫１の電源コード（不図示）の長さを回路収納部が冷蔵庫１本体の背面上方にあるものよりも短く（例えば：約５０ｃｍ）でき、コスト的にも有利であり、組立性も向上し、位置的関係から特に上方にあるコンセントに接続しても無駄なコードのたるみも減少し、コードの傷付きの可能性も少なくなる。
【０１０１】
なお、本図においては、収納ボックス５８ａと電装カバー５８ｂの合わせ目の側方上方に互いに凹部を設け、電源コード引出し口５８ｅとしているが、収納ボックス５８ａまたは電装カバー５８ｂのどちらか一方の上方に開口部を設け、電源コード引出し口としても、前記同様の効果は得られる。
【０１０２】
図６において、送風機２２周辺の内箱２ｂに開口部を設け、前記開口部にコネクター８１をもつ配線８２を差込み、前記配線８２と前記開口部の隙間はシール材にてシール処理をおこなう。また、前記配線８２は収納ボックス５８ａの開口部から回路収納部内に引き込まれ、前記配線８２を通した収納ボックス５８ａの開口部と配線８２の隙間もシール材にてシール処理される。
【０１０３】
前記と同様に、圧縮機２０周辺の機械室にあるボトムプレート８３の開口部にコネクター８４をもつ配線８５を差込み、前記配線８５と前記開口部の隙間はシール材にてシール処理をおこなう。また、前記配線８５は収納ボックス５８ａの開口部から回路収納部内に引き込まれ、前記配線８５を通した収納ボックス５８ａの開口部と配線８５の隙間もシール材にてシール処理される。
【０１０４】
更に、野菜室１２より上方にある電装部品との接続のため、電気回路５８に電気的に接続される配線８６も同様に、収納ボックス５８ａの開口部を通りシール処理をされて上方に引き出される。
【０１０５】
また、前記配線８２、８５、８６の各々は結束バンド等で適所を束ねられており、内箱２ｂの断熱材２ｃ側となる所定の場所にテープ止めされ、外箱２ａに組み込まれた後、前記内箱２ｂと外箱２ａの隙間に発泡ウレタン等の断熱材２ｃが充填される。
【０１０６】
なお、前記外箱２ａは側面部と上面部が一体となったキャビネット部２ｄと背面側のバックプレート２ｅからなり、各々の電装部品に接続する前記配線８２、８６のコネクター８１等を、内箱２ｂの開口部から庫内側に引き込み、各々の前記開口部のシール処理を施し、配線８２、８５、８６を内箱２ｂ上に引き回し適所でテープ止めし、その後、内箱２ｂとキャビネット部２ｄを組み立て、ボトムプレート８３を内箱２ｂとキャビネット部２ｄに組み込み、ボトムプレート８３の開口部から機械室側にコネクター８４を引き出した後、前記開口部のシール処理を施す。
【０１０７】
さらに、キャビネット部２ｄにバックプレート２ｅを組み込み、前記バックプレート２ｅに収納ボックス５８ａを組み込むときに、前記収納ボックス５８ａの開口部を通して、配線８２、８５、８６の電気回路５８への接続端子を収納ボックス５８ａ内側に引き込み、収納ボックス５８ａをバックプレート２ｃに取付ける。そして、前記各々の前記開口部のシール処理を施した後、キャビネット部２ｄとバックプレート２ｅからなる前記外箱２ａと内箱２ｂ、および、内箱２ｂとボトムプレート８３の隙間に発泡ウレタン等からなる断熱材２ｃが充填されることになる。
【０１０８】
そして、その後、収納ボックス５８ａ内に電気回路５８が組み込まれ、前記配線８２、８５、８６に設けられたコネクター（不図示）にて電気回路５８に電気的に接続される。
【０１０９】
また、前記コネクター８４には、圧縮機２０から来る駆動用リード線や温度過昇防止サーモ用リード線の５本のリード線が保護チューブにて覆われた状態で、また、凝縮器用送風機７７から来る駆動用リード線２本が同様に保護チューブにて覆われた状態で、各々前記コネクター８４に接続される。なお、前記保護チューブに覆われた各々のリード線は結束バンドで機械室の壁面等に固定され、前記コネクター８４への接続個所やその周辺はビニールカバー等で防水処理が施される。
【０１１０】
なお、前記圧縮機２０への５本のリード線には突入電流・ロック電流等の大電流のかかる可能性のあるものであり、通電面積の大きな（例えば：０．７５平方ｍｍ）リード線被覆厚さの厚い（例えば：０．３ｍｍ以上）の耐熱ダブルシースのものを使用するため、かなり太いリード線（例えば：外径３ｍｍ）となり、前記各々のリード線に対応する配線８５の束の外径は１０ｍｍ程度にも達し、かなりな太さになる。
【０１１１】
また、前記コネクター８１には、除霜ヒータ６２や送風機２２や、前記除霜ヒータ６２近くに設けられた過昇防止用温度ヒューズ（不図示）や、製氷機６７の製氷皿を駆動させる駆動モータ（不図示）や、製氷完了検知のための温度センサ（不図示）や、冷凍室１３用の温度センサ７６等から来る、８本の電源電圧のかかるリード線と４本の信号用リード線が、エバカバー３３や背面板３３ａ等の壁面上を引き回され、前記コネクター８１に接続される。そして、前記各々のリード線に対応する配線８２の束の外径も１２ｍｍ程度にも達し、これもまた、かなりな太さになる。
【０１１２】
なお、前記コネクター８１は、送風機２２周辺の冷気通路２３の一部を、内箱２ｂの凹凸にて設けた隔離部内に位置させ、エバカバー３３の前記隔離部に対応する位置にヒンジをもつ隔離部蓋（不図示）を設け、前記コネクター８１に前記各々のリード線を接続した後、隔離部内に前記コネクター８１やリード線を押し込み前記隔離部蓋にて蓋をして、冷気通路２３内に前記接続部等が露出して冷気にさらされないようにしている。
【０１１３】
そして、前記配線８２、８５は、内箱２ｂの外箱２ａ側表面を引き回され、一つの束（例えば：外径１５ｍｍ）にされて収納ボックス５８ａ内へと導かれる。収納ボックス５８ａが従来に比べ、送風機２２や圧縮機２０に非常に近くなっているため、前記配線８２、８５の内箱２ｂ上の引き回し長さはかなり短くなり、配線材がコスト的にも安くなり、冷蔵庫に配線や配線の束を組み込む作業もやりやすくなるため、組立性や仕上がりの信頼性も向上する。
【０１１４】
なお、圧縮機２０を左右方向で一方の右側に、冷却器２１を左右方向で前記圧縮機２０と異なる側の左側に、断熱層を介して前記各々を設け、冷却器２１周辺に送風機２２を設け、必要厚さに設けた断熱材２ｃをもつ断熱層を介して、前記送風機２２の上方に回路収納部を設けているため、更に収納ボックス５８ａと圧縮機２０との距離は短くなり、配線材がコスト的にも更に安くなり、冷蔵庫に配線や配線の束を組み込む作業もいっそうやりやすくなるため、組立性や仕上がりの信頼性もより向上することになる。
【０１１５】
また、内箱２ｂと外箱２ａとの隙間に発泡ウレタン等の断熱材２ｃを充填したとき、前記配線８２、８５の占める個所が少ないため、配線８２、８５によるウレタン等の発泡時の流れを阻害するような個所の発生の可能性も減少し、断熱材２ｃ内のボイド（ガス空間）発生の可能性も減少することとなり、断熱性の維持の向上に役立つとともに、断熱材２ｃ内に熱伝導性の高い配線材の占める領域も減り、断熱性の向上に役立つこととなり、エネルギーの省力化にもなる。
【０１１６】
なお、圧縮機２０の上方に冷却器２１を設け、その上方に送風機２２を設けた場合であっても、前記よりは該当する配線の長さは少し長くはなるが、前記同様の効果は得られる。
【０１１７】
図７において、８７は、収納ボックス５８ａ内からボトムプレート８３の開口部を通り、機械室の低圧側につながるダクトである。凝縮器用送風機７７が運転されると、収納ボックス５８ａ内の空気は、前記ダクト８７を通り、前記機械室の低圧側に流れ出す。
【０１１８】
そのため、収納ボックス５８ａと電装カバー５８ｂからなる回路収納部内の空気が前記機械室の低圧部に流れ込み、前記回路収納部内の電気回路５８を強制冷却できるようになり、電気回路５８の電気部品や回路基板を、許容限界温度の低いものを使用できたり、従来部品を使用したときは温度限度の余裕度が増し、品質の向上につながることになる。
【０１１９】
そして、前記回路収納部と圧縮機２０や凝縮器用送風機７７のある機械室とが近くにあるため、短い連通路で互いに結ぶことができるようになり、連通路の通風抵抗も少なく、通風面積も少なくてもよく、従来から使用のような小型の凝縮器用送風機７７であっても充分役に立つ。
【０１２０】
なお、前記ダクト８７の組み込みは、ボトムプレート８３を内箱２ｂとキャビネット部２ｄに組み込んだ後、ボトムプレート８３の開口部から機械室側にダクト８７の先端を引き出し、前記開口部のシール処理を施す。そして、キャビネット部２ｄにバックプレート２ｅを組み込み、前記バックプレート２ｅに収納ボックス５８ａを組み込むときに、前記収納ボックス５８ａの開口部を通して、ダクト８７の先端を収納ボックス５８ａ内側に引き込み、収納ボックス５８ａをバックプレート２ｅに取付ける。
【０１２１】
そして、前記開口部のシール処理を施した後、キャビネット部２ｄとバックプレート２ｅからなる前記外箱２ａと内箱２ｂ、および、内箱２ｂとボトムプレート８３の隙間に発泡ウレタン等からなる断熱材２ｃが充填されることになる。
【０１２２】
また、前記ダクト８７は、ジャバラ状の凹凸を曲げ部に適所設けたブロー成形品でもよく、前記凹凸のない樹脂成形品の組品でもよく、発泡スチロール等による断熱材からなるものでもよい。そして、必要であれば、前記ダクト８７内部や内箱２ｂに近づくダクト８７の部分や内箱２ｂに適当にスペーサーや断熱材を設けてもよい。
【０１２３】
さらに、前記ダクト８７を前記断熱材２ｃ内に設けると、断熱厚さが充分取れないときは、冷蔵庫１の背面に飛び出すことになるが、収納ボックス５８ａと電装カバー５８ｂからなる回路収納部から、機械室カバー２０ｃの開口部につながるダクトを、バックプレート２ｅの後方に設けても前記同様の効果は得られる。
【０１２４】
このとき、前記ダクトを分解や着脱自在に設けておくと、前記ダクト内の清掃も容易となり、清潔に保てるばかりでなく、ダクト内のホコリ等による詰まりの防止も可能となる。
【０１２５】
図８において、冷凍室１３の下の圧縮機２０等が配された機械室を含む、冷凍室１３と断熱層を介して設けられた空間を、前後方向に仕切るように仕切壁８８が設けられている。そして前記仕切壁８８の前方に、左右方向に仕切る仕切壁８９が設けられている。また、前記仕切壁８８の後方の機械室となる所に、左右方向に仕切る仕切壁９０が設けられている。そして、前記仕切壁９０には凝縮器用送風機７７が設けられている。
【０１２６】
また、前記仕切壁８９の右側には蒸発皿９１が設けられ、前記蒸発皿９１を支えるように金属性の蒸発皿受け板９２が設けられている。更に、前記蒸発皿受け板９２の下面には、圧縮機２０の吐出パイプ２０ａからつながる凝縮パイプ９３が取付けられている。
【０１２７】
さらに、仕切壁８９、９０の左側には、仕切壁８８に開口部を設け、前記開口部を通るフィンをもつ凝縮器７１が設けられている。前記凝縮器７１の一部は圧縮機２０を支える圧縮機取付台９４の一部で支えられ、また、仕切壁８９の下に設けられた底板９５にも凝縮器７１の一部は支えられている。そして、下面に凝縮パイプ９３をもつ前記蒸発皿受け板９２をも前記底板９５は空間をもって支えている。
【０１２８】
また、仕切壁８８の上部には凹部を設け、シール材を介してドレンパイプ９６が設けられており、前記ドレンパイプ９６の先端開口部は前記蒸発皿９１の上方に位置している。そして、前記ドレンパイプ９６の他端はドレン受け部材６３、６４につながっている。そのため、冷却器２１、２５に着霜した霜等を、除霜ヒータ６１、６２で溶かした水が、ドレン受け部材６３、６４からドレンパイプ９６に流れ込み、前記蒸発皿９１に溜まるようになっている。
【０１２９】
なお、前記仕切壁８８、８９、９０の上部とドレンパイプ９６の上部には、シール材が張り付けられ、前記ボトムプレート８３との隙間のシール処理をしており、また、前記仕切壁８８、８９、９０の下部と圧縮機取付台９４、底板９５とは、互いにシール処理がされている。
【０１３０】
また、キャビネット部２ｄとバックプレート２ｅボトムプレート８３の断熱材２ｃ側にも、凝縮パイプ９３と同様のパイプ（不図示）が、アルミ箔テープ等で取付けられており、前記凝縮パイプ９３ともあわせて前記凝縮器７１の補助的役目をしている。
【０１３１】
そして、圧縮機２０の吐出パイプ２０ａを出た冷媒は、凝縮パイプ９３からバックプレート２ｅの前記パイプ（不図示）を流れ、その後、ボトムプレート８３の前記パイプ（不図示）から凝縮器７１に流れ、キャビネット部２ｄの前記パイプ（不図示）を流れる。この間に、冷媒は高圧のもとで冷却されてガス冷媒から液冷媒になり、ドライヤー（不図示）を通りキャピラリーチューブ７２に達することになる。
【０１３２】
また、凝縮器用送風機７７が運転されると、前記底板９５とボトムプレート８３の間を、仕切壁８９の左側前方から空気が吸い込まれ、仕切壁８８の開口部を通り機械室の一部に流れ込み凝縮器用送風機７７に達する、この間、凝縮器７１から熱を奪い、凝縮器７１を通る冷媒を冷却して液化を助ける。
【０１３３】
そして、圧縮機２０側の機械室に前記空気は流れ込み圧縮機２０を冷却し、仕切壁８８の開口部を通り蒸発皿９１の上方に達する。そして、その後、蒸発皿９１に除霜水が溜まっていれば、その溜まった除霜水の蒸発を助けて、蒸発した水分を含んだ暖気状態で前記底板９５とボトムプレート８３の間を前記空気は仕切壁８９の右側前方から外に排出される。
【０１３４】
なお、機械室カバー２０ｃの機械室側低圧部となる部分に、開口部２０ｄが設けられているため、冷蔵庫１の背面側外側から前記開口部２０ｄを通り、機械室低圧部に外気が流れ込み、圧縮機２０等の機械室内部の発熱体の冷却に役立つ。
【０１３５】
また、凝縮パイプ９３は高温（例えば：８０℃前後）であるため、金属性の蒸発皿受け台９２を介して、蒸発皿９１の水は暖められ蒸発しやすくなり、凝縮パイプ９３はその気化熱や凝縮器用送風機７７による空気の流れで冷却されることになる。
【０１３６】
更に、ボトムプレート８３の断熱材２ｃ側に設けられたパイプ内の冷媒も前記凝縮器用送風機７７による空気の流れで冷却されることになる。
【０１３７】
そして、従来のように、圧縮機２０等機械室にある部品を冷却した熱風を、冷蔵庫１の背面外側に排出することなく、冷蔵庫１の背面外側の空気をさえ吸込むため、熱風排出による冷蔵庫１の背面付近の外気の温度上昇はなく、しかも、電気回路５８を収納している収納ボックス５８ａや電装カバー５８ｂは、冷蔵庫１本体の背面部で従来品よりも低い位置にあるため、その周辺の外気温度の上昇は少なく、その結果、電気回路５８の温度上昇も従来よりは低くおさえられることになり、電気回路５８の電気部品や回路基板を、許容限界温度の低いものを使用できたり、従来部品を使用したときは温度限度の余裕度が増し、品質の向上につながることになる。
【０１３８】
また、バックプレート２ｅの断熱材２ｃ側に設けられた前記パイプを、電気回路５８を収納している収納ボックス５８ａよりも上方に位置させると、更に、電気回路５８を収納している収納ボックス５８ａや電装カバー５８ｂ周辺の外気温度の上昇は少なくなる。
【０１３９】
本発明において、冷蔵室１１と野菜室１２とを同一の冷却器２５により冷却しているが、冷蔵室と冷凍室とを同一の冷却器により冷却する場合であっても部材４２を配置する側に冷却器を配置することによって冷気が吐出されるまでの経路が短縮され上記と同様の効果を得ることができる。また、冷却器２１、２５として蒸発器を用いているが、ペルチェ方式やその他の冷却方式による冷却器を用いても同様の効果を得ることができる。
【０１４０】
また、部材４２の少なくとも一部に凹凸を設けたり、部材４２の表面を粗い面に形成したり等して、保湿機能を部材４２に持たせると、部材４２に生じた結露を流下させずに留まらせることができる。そして、結露水の蒸発により室内の湿度が維持されて保湿を行うことができるため、貯蔵物（特に野菜や生もの）の長期保存に役立つ。また、部材４２に保湿機能を有する保湿材を取り付けてもよい。
【０１４１】
なお、上記の構成は冷蔵室１１の背面側上方に冷却器２５を設けたものであるが、冷蔵室１１と隔離室である氷温室１４の境界である仕切り板４６よりも冷蔵室１１側に少なくとも冷却器２５の一部を設けた場合であっても氷温室１４の奥行きが若干短くなるが、上記と同様の効果を生じる。しかも、氷温室１４側にある冷却器２５の近くに部材４２を設けると、氷温室１４が更に均一に冷却される冷蔵庫となる。
【０１４２】
また、冷蔵室１１と野菜室１２の境界である仕切り板３２よりも冷蔵室１１側に少なくとも冷却器２５の一部を設けた場合であると、野菜室１２側にある部分の冷却器２５の前方は十分な厚みのある断熱層が必要となるが、従来よりもその部分が減少してスペースの有効利用を図ることができる。また、従来よりも送風機２６の吐出側の通路が短くなり、送風効率を向上下冷蔵庫を得ることができる。
【０１４３】
更に、配線や電源コードに関しては、冷蔵室１１や野菜室１２や冷凍室１３等の貯蔵室の配列順や位置関係が異なるものであっても、前記と同様の効果が得られ、更には、冷蔵室１１と冷凍室１３とを同一の冷却器２２のみにより冷却する場合であっても、前記と同様の効果が得られる。
【０１４４】
なお、本発明において、冷気通路を通る冷気による冷熱の一部が部材を介して貯蔵室内に放出されるとは、冷気通路を通る冷気の一部が部材から吸熱して該部材を冷却し、部材が貯蔵室内から吸熱して貯蔵室内を冷却することを意味する。
【０１４５】
また、前記で左右方向とは、冷蔵庫を正面から見て左右の方向を意味し、前後方向とは、冷蔵庫を正面から見て前後の方向を意味する。
【０１４６】
そして、前記配線等で、開口部のシール処理とは、開口部を通した配線やダクト等表面と前記開口部とで生じた隙間を、シール材やスポンジ等で行うシールの処理のことをいう。
【０１４７】
さらに、本図において、巾の狭い断面のハッチングは省略している。
【図面の簡単な説明】
【０１４８】
【図１】本発明の冷蔵庫を示す側面断面図である。
【図２】本発明の冷蔵庫を示す正面図である。
【図３】本発明の冷蔵庫の冷却サイクルを示す回路図である。
【図４】本発明の冷蔵庫の部材を示す斜視図である。
【図５】本発明の冷蔵庫の他の部材を示す斜視図である。
【図６】本発明の冷蔵庫の野菜室付近から下の配線状態の図である。
【図７】本発明の冷蔵庫の回路収納部から機械室に通じる連通路の図である。
【図８】本発明の冷蔵庫の機械室やその周辺の上から見た図である。
【図９】従来の冷蔵庫を示す側面断面図である。
【符号の説明】
【０１４９】
１    冷蔵庫
２ａ  外箱（断熱層）
２ｂ  内箱（断熱層）
２ｃ  断熱材（断熱層）
１１    冷蔵室
１２    野菜室
１２ａ  連通路
１２ｂ  戻り口
１３    冷凍室
２０    圧縮機
２０ｃ  機械室カバー
２０ｄ  開口部
２１    冷却器（第一冷却器）
２２ 送風機（第一送風機）
２５    冷却器（第二冷却器）
２６    送風機（第二送風機）
２７    冷気通路
３１、３２  仕切
５８    電気回路
５８ａ  収納ボックス（回路収納部）
５８ｂ  電装カバー（回路収納部）
５８ｃ、５８ｄ  開口部
５８ｅ  電源コード引出し口
【図１】
2006064379.tif 000003
【図２】
2006064379.tif 000004
【図３】
2006064379.tif 000005
【図４】
2006064379.tif 000006
【図５】
2006064379.tif 000007
【図６】
2006064379.tif 000008
【図７】
2006064379.tif 000009
【図８】
2006064379.tif 000010
【図９】
2006064379.tif 000011